(57)【要約】【課題】畦からのペースト肥料及び予備苗の補給を容易迅速に行えるようにする。【解決手段】走行機体の前端部にペースト肥料を収納する肥料タンク２１と予備苗のせ台３ｂとを設け、肥料タンク２１と予備苗のせ台３ｂとを、作業位置に設定した状態と、作業位置よりも走行機体前側の補給位置とに亘って前後位置変更自在に構成してある。【選択図】        図１３
2004298121.tif 000002
【特許請求の範囲】
【請求項１】
走行機体の後部に苗植付装置を昇降操作自在に連結するとともに、苗植付装置に複数本のペースト施肥ノズルを備えてある施肥装置付き乗用型田植機であって、
走行機体の前端部にペースト肥料を収納する肥料タンクと予備苗のせ台とを設け、前記肥料タンクと前記予備苗のせ台とを、作業位置に設定した状態と、前記作業位置よりも前記走行機体前側の補給位置とに亘って前後位置変更自在に構成してある施肥装置付き乗用型田植機。
【請求項２】
前記肥料タンクと前記予備苗のせ台とを、夫々、別個に位置変更可能に構成してある請求項１記載の施肥装置付き乗用型田植機。
【請求項３】
前記肥料タンクと前記予備苗のせ台とを、一体で位置変更可能に構成してある請求項１記載の施肥装置付き乗用型田植機。
【請求項４】
前記肥料タンクを前記予備苗のせ台の下方に配置してある請求項１〜３の内のいずれか一つに記載の施肥装置付き乗用型田植機。
【請求項５】
前記肥料タンクと前記予備苗のせ台とを、平面視において重ならない状態に配置されている請求項１〜３の内のいずれか一つに記載の施肥装置付き乗用型田植機。
【請求項６】
前記肥料タンクを前記作業位置と前記補給位置とで位置固定するロック具を設け、前記ロック具をロック状態と解除状態とに切換えるロック操作部を、前記走行機体の前方側に延出して設けてある請求項１〜５の内のいずれか一つに記載の施肥装置付き乗用型田植機。
【発明の詳細な説明】
【０００１】
【発明の属する技術分野】
本発明は、走行機体の後部に苗植付装置を昇降操作自在に連結するとともに、苗植付装置に複数本のペースト施肥ノズルを備えてある施肥装置付き乗用型田植機に関する。
【０００２】
【従来の技術】
上記乗用型田植機において、従来、エンジンボンネットの横側方に肥料タンクとその上方に予備苗載せ台とを配置し、肥料タンクをエンジンボンネットの横側方に位置する作業位置から機体前方側に移動させて、畦等から肥料を補給することを容易に行える構成を採るものがあった（例えば、特許文献１）。
一方、ペースト施肥装置を搭載せずに、予備苗載せ台を有している田植機においては、その予備苗載せ台をエンジンボンネットの横側方に位置する作業位置から機体前方側に移動して苗補給位置に切り換わる構成のものがあった（例えば、特許文献２）（例えば特許文献３）
【０００３】
【特許文献１】
特開２００２−２３３２１６号公報（段落番号〔００５６〕、図１４）
【特許文献２】
実開平３−１１７４０９号公報（実用新案登録の請求の範囲、第１図）
【特許文献３】
実公平２−３２００６号公報（公報第３頁の第５欄の第１９行〜第３０行、第１図及び第２図）
【０００４】
【発明が解決しようとする課題】
上記従来技術においては、予備苗のせ台のみを有する田植機においては、その予備苗のせ台を苗補給の為に位置変更可能に構成するものがあるが、予備苗のせ台と肥料タンクとを共に有する構成においては、予備苗のせ台を苗補給位置に移動させる構成は示されていない。
したがって、畦より補給作業を行う場合に、ペースト肥料の補給は容易に行うことができるが、苗については容易には行えない構成となっており、実際上不便を来たしていた。
本発明の目的は、ペースト肥料の供給を迅速容易にできるだけでなく、予備苗の補給作業も同様に畦より容易迅速に行える施肥装置付き乗用型田植機を得ることにある。
【０００５】
【課題を解決するための手段】
請求項１による発明の構成、作用、効果は次のとおりである。
【０００６】
〔構成〕
走行機体の後部に苗植付装置を昇降操作自在に連結するとともに、苗植付装置に複数本のペースト施肥ノズルを備えてある施肥装置付き乗用型田植機であって、
走行機体の前端部にペースト肥料を収納する肥料タンクと予備苗のせ台とを設け、前記肥料タンクと前記予備苗のせ台とを、作業位置に設定した状態と、前記作業位置よりも前記走行機体前側の補給位置とに亘って前後位置変更自在に構成してある点にあり、その作用効果は次の通りである。
【０００７】
〔作用〕
ペースト肥料の補給を行うについて、肥料タンクを走行機体前側の補給位置に移動させることによって、畦より行うことができるので、ペースト肥料の補給を容易迅速に行える点を維持している。
これに加えて、予備苗のせ台についても走行機体前側の補給位置に移動させることができるので、ペースト肥料の投入と同じように、畦より容易迅速に補給作業を行うことができる。
【０００８】
〔効果〕
ペースト肥料を畦より補給する際に、予備苗の補給も同時に行うことができるので、作業が容易迅速に行えるだけでなく、同時に行うことができる作業能率の向上を図ることができる。
【０００９】
請求項２による発明の構成、作用、効果は次のとおりである。
【００１０】
〔構成〕
請求項１による発明の構成において、前記肥料タンクと前記予備苗のせ台とを、夫々、別個に位置変更可能に構成してある点にあり、その作用効果は次の通りである。
【００１１】
〔作用〕
肥料タンクと予備苗のせ台とを走行機体前側の補給位置に移動させることができるので、畦からの補給作業を容易迅速に行うことができるものでありながら、肥料タンクと予備苗のせ台とを個別に移動させることができるので、肥料タンクの補給用投入口や予備苗のせ台の補給部位が、作業位置においては相手側の存在によって補給作業が困難な位置にあったとしても、両者を個別で移動させることができるので、前記した補給用投入口や補給部位を、相手側との干渉の無い位置に設定できる。
【００１２】
〔効果〕
これによって、補給口との設置位置に制約が少なくなり、補給作業に制約をうけることなく、肥料タンクや予備苗のせ台の設計製作が行える。
【００１３】
請求項３による発明の構成、作用、効果はつぎのとおりである。
【００１４】
〔構成〕
請求項１による発明の構成において、前記肥料タンクと前記予備苗のせ台とを、一体で位置変更可能に構成してある点にあり、その作用効果は次の通りである。
【００１５】
〔作用〕
肥料タンクと予備苗のせ台とを一体で補給位置に切換えることができるので、切換作業を一回で行うことができる。
【００１６】
〔効果〕
補給位置に切換える際に、切換作業を２度行う必要がなく、切換作業自体の能率化を図ることができる。
【００１７】
請求項４による発明の構成、作用、効果はつぎのとおりである。
【００１８】
〔構成〕
請求項１〜３の内のいずれか一つに記載の発明において、前記肥料タンクを前記予備苗のせ台の下方に配置してある点にあり、その作用効果は次の通りである。
【００１９】
〔作用〕
肥料タンク自体は、ペースト肥料を貯留する為に、予備苗のせ台に比べると重量のあるものとなるので、機体バランスを良好にする面より、重料のある肥料タンクを予備苗のせ台の下方に配置してある。
【００２０】
〔効果〕
したがって、機体バランスの崩れを抑える機器配置を採ることができるので、作業走行時の操縦性を確保できるとともに、ローリング作動により左右植付条の植付深さが異なる等の植付不良を招来する事態を抑制できる。
しかも、予備苗のせ台と肥料タンクとを横並び状態に設ける場合に比べて左右方向で占有するスペースを小さくでき、走行機体の機体幅を小さくできる。
【００２１】
請求項５による発明の構成、作用、効果はつぎのとおりである。
【００２２】
〔構成〕
請求項１〜４のいずれか１項による発明の構成において、前記肥料タンクと前記予備苗のせ台とを、平面視において重ならない状態に配置されている点にあり、その作用効果は次の通りである。
【００２３】
〔作用効果〕
つまり、相手側の存在に邪魔されることなく、予備苗及びペースト肥料の補給作業を行うことができる。
【００２４】
請求項６による発明の構成、作用、効果はつぎのとおりである。
【００２５】
〔構成〕
請求項１〜５のいずれか１項による発明の構成において、前記肥料タンクを前記作業位置と前記補給位置とで位置固定するロック具を設け、前記ロック具をロック状態と解除状態とに切換えるロック操作部を、前記走行機体の前方側に延出して設けてある点にあり、その作用効果は次の通りである。
【００２６】
〔作用効果〕
走行機体の前方側の畦よりペースト肥料を補給する際に、その畦に位置した状態で、作業者が自身の手前側に位置する状態で延出されるロック用操作部を握り操作できるので、ロック操作及びロック解除操作を補給作業に携わる作業者の意思で任意に行うことができる、操作性の向上を達成できる。
【００２７】
【発明の実施の形態】
図１、図２に示すように、左右一対の操向及び駆動自在な前車輪１、左右一対の駆動自在な後車輪２、原動部の両横側に位置する予備苗収容装置３、運転座席４を有する運転部のそれぞれを備えた走行機体の機体フレーム５の後端部にリンク機構６を介して苗植付装置１０を連結するとともに、走行機体から回転軸７によって苗植付装置１０に動力伝達するように構成し、かつ、リンク機構６をリフトシリンダ８によって機体フレーム５に対して上下に揺動操作することによって苗植付装置１０を昇降操作するように構成してある。走行機体の原動部の両横側に配置した肥料タンク２１、苗植付装置１０に設けた複数本の側条施肥ノズル２２を有する側条施肥装置２０と、走行機体の運転座席４の横側に配置した肥料タンク３１、苗植付装置１０に設けた複数本の深層施肥ノズル３２を有する深層施肥装置３０を備えさせて、もって、６条用施肥装置付き乗用型田植機を構成してある。
この施肥装置付き乗用型田植機は、走行機体を走行させることにより、苗植付装置１０によって複数条の苗植付けを行い、この苗植付け作業を行うと同時に側条施肥装置２０と深層施肥装置３０とによってペースト肥料を圃場に供給していく施肥作業ができるものであり、詳しくは次の如く構成してある。
【００２８】
図１、図３などに示すように、苗植付装置１０は、植付け機体フレームを形成するとともに植付け機体の横方向に並んでいる複数個の植付け伝動ケース１１それぞれの後端部の両横側に苗植付け機構１２を駆動自在に取付け、この複数の苗植付機構１２に各別に供給するマット状苗を機体横方向に並べて載置する苗載置部を備えた苗載せ台１３を、植付け機体の前部の上側に機体横方向に摺動自在に取付けるとともに苗植付機構１２が苗植え運動を行うのに連動して機体横方向に往復移送されて各苗植付機構１２に苗供給するように構成し、植付け機体の下部に植付け機体の横方向に並ぶ複数個の接地フロート１４を取付けることによって構成してある。
【００２９】
図４などに示すように、側条施肥装置２０は、走行機体に設けた前記左右一対の肥料タンク２１と、この両肥料タンク２１の肥料排出部に可撓性パイプなどで成る肥料供給管路２４によって肥料取入れ部が接続している状態で、走行機体の後部における横一端側の運転座席４より後側に位置する部分に走行機体の横方向に並んで位置している複数個の側条施肥ポンプ２３と、この複数個の側条施肥ポンプ２３の吐出側に肥料供給ホース２５によって各別に接続している状態で苗植付装置１０に位置する複数本の側条施肥ノズル２２とによって構成してある。複数本の側条施肥ノズル２２は、苗植付装置１０の各苗植付機構１２の横側近くに１本ずつ位置するように配置して、かつ、先端側が接地フロート１４の底面より下方に突出して圃場の泥土内に入り込むようにして接地フロート１４に取付けてある。
【００３０】
図４などに示すように、深層施肥装置３０は、走行機体に設けた前記肥料タンク３１と、この肥料タンク３１の肥料排出部に可撓性パイプで成る肥料供給管路３４によって肥料取入れ側が接続している状態で、走行機体の後部の前記側条施肥ポンプ２３が位置する側とは反対側の横側の運転座席４より後側に位置する部分に走行機体の横方向に並んでいる複数個の深層施肥ポンプ３３と、この複数個の深層施肥ポンプ３３の吐出側に肥料供給ホース６７によって各別に接続している状態で苗植付装置１０に位置する複数本の深層施肥ノズル３２とによって構成してある。複数本の深層施肥ノズル３２は、苗植付装置１０の苗植付け予定箇所どうしの間に１本ずつ位置するように配置して、かつ、先端側が接地フロート１４の底面より下方に突出して圃場の泥土内に前記側条施肥ノズル２２より深く入り込むようにして接地フロート１４に取付けてある。
【００３１】
側条施肥ポンプ２３を複数本の側条施肥ノズル２２に各別に接続している複数本の前記肥料供給ホース２５は、走行機体と苗植付装置１０との間において１本のコルゲートチューブによって纏めて束にするとともにカバーしてある。深層施肥ポンプ３３を複数本の深層施肥ノズル３２に各別に接続している複数本の前記肥料供給ホース６７は、走行機体と苗植付装置１０との間において１本のコルゲートチューブによって纏めて束にするとともにカバーしてある。
【００３２】
これにより、側条施肥装置２０も深層施肥装置３０も、肥料タンク２１，３１にペースト肥料を投入しておくと、この肥料を各施肥ポンプ２３，３３によって肥料タンク２１，３１から取り出して施肥ノズル２２，３２に供給し、苗植付装置１０の各苗植付機構１２が苗植付けする箇所の近くの泥土内に施肥ノズル２２，３２によってこのノズル２２，３２の突入深さによって決まる深さで供給する。側条施肥装置２０は、苗植付装置１０の複数個の苗植付機構１２による複数条の植付け苗それぞれの横側近くに肥料供給し、深層施肥装置３０は、苗植付装置１０による植付け苗どうしの間に、深層施肥ノズル３２と側条施肥ノズル２２の接地フロート１４から下方に突出する長さの差によって、側条施肥装置２０より深い箇所に肥料供給する。
【００３３】
図１、図５、図６などに示すように、複数個の側条施肥ポンプ２３も、複数個の深層施肥ポンプ３３も、肥料取入れ筒部５４の軸芯が走行機体の横向きになり、吐出部４１の付いている方が後向きになる姿勢で走行機体の横方向に一列に並ぶように配置し走行機体の機体フレーム５の後部に座席支持部材６０を介して固定されているポンプ台６１に各ポンプ２３，３３を取付けボルトによって固定することによって、走行機体に取付けてある。
【００３４】
図５、図６などに示すように、側条施肥ポンプ２３においても、深層施肥ポンプ３３においても、隣接し合う一対のポンプ２３，３３の肥料取入れ筒部５４どうしを直接に接続して連通させてある。ポンプ列の両端に位置するポンプ２３，３３の肥料取入れ筒部５４に取付けた筒体５１が備えているフランジどうしにわたって取付けた連結ロッド５２と、この連結ロッド５２の一端側に装着したナットとによる締め付け力によって、各ポンプ２３，３３の肥料取入れ筒部５４を連結状態に締め付け固定してある。前記一対の筒体５１の一方に肥料タンク２１，３１からの肥料供給管路２４，３４を接続して各ポンプ２３，３３の肥料取入れ筒部５４を肥料タンク２１，３１に連通させ、他方の筒体５１にキャップ５３を取付けてある。
【００３５】
各側条施肥ポンプ２１も、各深層施肥ポンプ３１も、走行機体の前部に位置するミッションケース７０の出力軸の回動力を前記回転軸７に伝達する回転軸７５の回動力を図１、図５、図６に示す伝動構造によってポンプ駆動軸５５に伝達することによって駆動するようにしてある。
すなわち、側条施肥ポンプ２１のための伝動構造は、前記回転軸７５の途中に一体回転自在に取付けたチェーンスプロケットに巻回している入力チェーン８１と、走行機体の座席支持部材６０に取付けた支持部材６２によって一端側が回動自在に支持され、ポンプ台６１の支柱部６１ａに取付けた支持部材６３によって他端側が回動自在に支持されているとともに一端に前記入力チェーン８１が巻回している機体前後向きの伝動軸８２と、この伝動軸８２の他端側に巻回している伝動チェーン８３と、この伝動チェーン８３が入力軸５６ａに巻回しているとともに前記ポンプ台６１の変速装置支持部６１ｃに固定してある側条変速装置５６と、この側条変速装置５６の出力軸５６ｂをこの側条変速装置５６の最も近くに位置する側条施肥ポンプ２３のポンプ駆動軸５５に備えてあるポンプクラッチ１００の入力側回転体に連動連結しているポンプ駆動チェーン８４と、隣接し合う一対の側条施肥ポンプ２３のポンプクラッチ１００の入力側回転体どうしを連動連結しているポンプ駆動チェーン８５と、各側条施肥ポンプ２３のポンプ駆動軸５５に備えてある噛合い式の前記ポンプクラッチ１００とによって構成してある。
【００３６】
深層施肥ポンプ３３のための伝動構造は、前記入力チェーン８１と、前記伝動軸８２と、この伝動軸８２の他端側に巻回している伝動チェーン９１と、この伝動チェーン９１が入力軸５７ａに巻回しているとともに前記ポンプ台６１の変速装置支持部６１ｃに固定してある深層変速装置５７と、この深層変速装置５７の出力軸５７ｂをこの深層変速装置５７の最も近くに位置する深層施肥ポンプ３３のポンプ駆動軸５５に備えてあるポンプクラッチ１００の入力側回転体に連動連結しているポンプ駆動チェーン９２と、隣接し合う一対の深層施肥ポンプ３３のポンプクラッチ１００の入力側回転体どうしを連動連結しているポンプ駆動チェーン９３と、各深層施肥ポンプ３３のポンプ駆動軸５５に備えてある噛合い式の前記ポンプクラッチ１００とによって構成してある。
【００３７】
図４に示すように、前記左右一対の肥料タンク２１から各側条施肥ポンプ２３に肥料供給する前記肥料供給管路２４は、左側の肥料タンク２１と右側の肥料タンク２１のうち、エンジン排気マフラー７１から遠くに位置する方の肥料タンク２１の肥料排出部から走行機体の前ステップ７２の後端側の下方に入り、走行機体の運転ステップ７３の横一端側の下方に位置するエンジン燃料タンク７４の両横側のうちの機体内側の横側を通って走行機体の機体メインフレームの後端部の横外側に至り、この部位から側条施肥ポンプ列の端に上昇してポンプ列の端のポンプ２３に接続している肥料供給主管路２４ａと、エンジ排気マフラー７１の近くに位置する方の肥料タンク２１の肥料排出部から走行機体の前ステップ７２の後端側の下方に入り、走行機体の運転ステップ７３の横他端側の下方を通って走行機体の機体メインフレームの後端部の横外側に至り、この部位から走行機体の横方向に機体メインフレームの後端部の反対側の横外側に至って前記肥料供給主管路２４ａの途中に接続している肥料供給枝管路２４ｂとによって構成してある。
これにより、左右一対の肥料タンク２１のうち、エンジン排気マフラー７１から遠く離れている方の肥料タンク２１は、肥料供給主管路２４ａによって側条施肥ポンプ２３に接続していて、他方の肥料タンク２１より短い管経路を経て側条施肥ポンプ２３に肥料供給する。左右一対の肥料タンク２１のうち、エンジン排気マフラー７１に近くて肥料がマフラー７１の放熱による加温を受けやすい肥料タンク２１は、肥料供給枝管路２４ｂと、肥料供給主管路２４ａのポンプ側の一部分とによって側条施肥ポンプ２３に接続していて、他方の肥料タンク２１より長い管経路を経て側条施肥ポンプ２３に肥料供給する。
【００３８】
前記肥料供給主管路２４ａは、エンジン燃料タンク７４の横側に位置する塩化ビニール管で成る管路部分７７と、この管路部分７７とは別の配管部品に作成した可撓性ホースで成り、一端側が前記管路部分７７に、他端側が肥料タンク２１の肥料排出部にそれぞれ接続しているタンク側の管路部分７８と、前記管路部分７７とは別の配管部品に作成した可撓性ホースや、前記肥料供給枝管路２４ｂが接続する接続管などで成り、一端側が前記管路部分７７に、他端側が側条施肥ポンプ２３にそれぞれ接続しているポンプ側管路部分７９とによって構成してある。
【００３９】
図７〜図９に示すように、前記左右一対の肥料タンク２１のそれぞれは、肥料タンク２１の底部の外面側に連結ボルト２７によって締め付け固定したタンク支持体２８を有する取付け構造によって走行機体に取り付けてある。
【００４０】
すなわち、走行機体が備えるチャンネル状の左右メインフレーム１５から横外側方に向けてパイプフレーム１６ａを延出するとともに、パイプフレーム１６ａの横側端に至った端部を屈曲して後向きに伸ばし、後端部より更にメインフレーム１５側に向けて屈曲形成し、屈曲端を前車軸ケース１７より上向きに立ち上げた支持ブラケット１８に取り付け固定し、ループ状の支持フレーム１６を形成してある。
支持フレーム１６の横向き前端部にアングル状に組んだ補強板３８を取付け、補強板３８の上面にＵ字状の前ブラケット１９を立設するとともに、前ブラケット１９の後方に角パイプ状フレームを後ブラケット２６として配置し、前後ブラケット１９、２６でチャンネル状の左右レール部２９、２９を支持してある。
【００４１】
図８及び図９に示すように、肥料タンク２１を取り付けたタンク支持体２８に前後左右の４個の転動輪３５を取り付け、その転動輪３５を左右レール部２９、２９内に位置させて、肥料タンク２１をレール部２９に沿って前後移動可能に構成してある。
タンク支持体２８内には、前後二箇所に左右向きの支持板２８ａ、２８ａが固設してあり、この二つの支持板２８ａ、２８ａに亘ってロック用操作ロッド３６を前後方向に貫通させ、ロック用操作ロッド３６をそのロッドの前後向き軸芯周りで回動自在に支持させてある。ロック用操作ロッド３６の後端は屈曲されて下向きの係合部３６ａに形成されるとともに、前端にはハンドルグリップ３６Ａを装着したロック操作部に形成してある。
【００４２】
左レール部２９には係合凹部２９Ａが前後複数箇所に形成してあり、ロック用操作ロッド３６の係合部３６ａを係合凹部２９Ａに係合させることによって、肥料タンク２１の移動を阻止することができる。係合部３６ａ近傍にその係合部３６ａを係合凹部２９Ａに対して係合する方向に付勢するバネ３７を取り付けてあり、バネ付勢力に抗して係合部３６ａを解除して肥料タンク２１をロック用操作ロッド３６とともに移動させると、次の係合凹部２９Ａ位置で係合部３６ａが付勢バネ３７によって係合し、肥料タンク２１を位置固定できる。
以上のような移動可能な構成によって、エンジンボンネット６の先端より肥料タンク２１の先端が前方に位置する肥料補給位置と、ロック用操作ロッド３６の解除操作によって後方のエンジンボンネット６横側方に設定された作業位置とに位置変更可能に構成してある。
【００４３】
次に、肥料タンク２１の上方に位置する予備苗収容装置３の移動構造について説明する。
図１０、図１１などに示すように、走行機体のメインフレーム１５から横外向きに延出する支持フレーム１６の前端部に設けたブラケット３９に、屈曲パイプで成る苗棚支柱４０の前側支柱部分４０Ａの下端部を横向き軸芯回りで前後揺動自在に支持させるとともに、前記支持フレーム１６の後端部からパイプ支柱４１を立設して、苗棚支柱４０の後側支柱部分４０Ｂの下端部を支持して、左右一対の予備苗収容装置３のそれぞれを、一体で前後揺動自在に構成してある。
【００４４】
苗棚支柱４０の後側支柱部分４０Ｂの下端部の取付構造は次のようになる。図１０及び図１１に示すように、前記したパイプ支柱１６の上端部より前記したパイプ支柱４１を立設するとともに、パイプ支柱４１に板状ブラケット４２を固着し、その板状ブラケット４２にたいして横向き軸芯Ｘ周りで揺動自在に揺動板フレーム４３を支持してある。揺動板フレーム４３の上端部には庇状の受け台４３Ａが設けてある。
このような構成に対して、受け台４３Ａに一体連結載置される後側支柱部分４０Ｂの下端部には、連結固定用の係合ピン４４が出退自在に設けてあり、板状ブラケット４２のアーチ状天板４２Ａの複数の係合孔４２ａに対して係合離脱自在に構成してある。
【００４５】
後側支柱部分４０Ｂの上端近くには、ロック用の操作レバー４５を軸支してあり、このロック用操作レバー４５と前記した係合ピン４４とを連係ロッド４６で連係し、ロック用操作レバー４５の握り操作で係合ピン４４を吊り上げ離脱操作するように構成してある。
前側支柱部分４０Ａのブラケット３９に対する揺動支点と後側支柱部分４０Ｂとに亘ってガススプリング４９を架設してあり、このガススプリング４９によって、後側支柱部分４０Ｂの揺動を阻止するように機能している。ガススプリング４９は、前側支柱部分４０Ａが横向き軸芯Ｘ周りで揺動するものであるが、後側支柱部分４０Ｂは揺動軸芯Ｙ周りで揺動するものであっても、ガススプリング４９の取付位置が後側支柱部分４０Ｂの揺動板フレーム４３より半径方向外側に連結してあるので、後側支柱部分４０Ｂを前側に揺動させるほど、ガススプリング４９の架設長さが短くなる。
【００４６】
苗棚支柱４０の前後側支柱部分４０Ａ、４０Ｂに対して相対揺動自在にループ状の吊下げフレーム４７を取り付けてあり、この吊下げフレーム４７の上下方向の複数箇所には、前側フレーム部分４７Ａと後側フレーム部分４７Ｂとにわたって予備苗のせ台としての苗載せ棚３ｂを取付けることによって構成してある。この吊下げフレーム４７は、前後側支柱部分４０Ａ、４０Ｂとに相対揺動可能に支持してあり、前後側支柱部分４０Ａ、４０Ｂとともに四連リンク機構を構成しているので、前後側支柱部分４０Ａ、４０Ｂとの揺動作動によっても、略一定の姿勢を維持するようになっている。
【００４７】
以上のような構成によって、ロック用操作具４５を握り操作して係合ピン４４を引き抜いて係合を解除した状態で、ロック用操作具４５を握った状態で後側支柱部分４０Ｂを前方に移動させると、吊下げフレーム４７を介して前側支柱部分４０Ａも一体で揺動を行う。所望の位置でロック用操作具４５のロックを解除するとと、係合ピン４４が係合孔４２ａに係合して姿勢がロックされる。
この場合に、吊下げフレーム４７は前後側支柱部分４０Ａ、４０Ｂに対して相対揺動して、略一定姿勢を維持する。これによって、苗のせ棚３ｂの姿勢が変化せず、苗補給時の載置姿勢を略平行姿勢にできる。
【００４８】
肥料タンク２１と予備苗収納装置３とを別個に姿勢変化させることができるが、例えば、図１５及び図１６に示すように、肥料タンク２１に一対の板状係合片４８Ａ、４８Ａを所定間隔を持って立設するとともに、前側支柱部分４０Ａに板状係合片４８Ａ、４８Ａの間に位置して前側支柱部分４０Ａの揺動により肥料タンク２１を連動駆動する係合コマ４８Ｂを設けると、肥料タンク２１と予備苗収納装置３とを一体で移動させることができる。
【００４９】
〔別の実施形態〕
（１）  次に、８条用の田植機の構成について、６条用のものと異なる点を主として説明する。まず、肥料タンク２１と予備苗収容装置３の構造について説明する。図１２乃至図１４に示すように、エンジンボンネット９の横側方に肥料タンク２１を配置するとともに、更に、外側に予備苗収容装置３を配置してある。予備苗収納装置３の構造については、６条分と同様の構成を採っている。一方、肥料タンク２１の取り付け構造は若干変更されている。つまり、左右のメインフレーム１５より横方向に延出されるとともにメインフレーム１５の上方に向けて折り返えされた状態で配置されている支持フレーム１６を６条用田植機の支持フレームと略同様の構成で配置し、その支持フレーム１６の前端部にブラケット３８を形成し、ブラケット３８に略Ｕ字状のパイプ状前ブラケット１９を立設してある。
【００５０】
支持フレーム１６の上方に搭乗ステップ７３の更に外側に補助ステップ５０を配置すべく、支持フレーム１６の上方にパイプステップフレーム５０Ａを配置するとともに、そのパイプステップフレーム５０Ａの内側に網目状のステップ板を装着して、補助ステップ５０を形成してある。補助ステップ５０のステップ板にチャンネル状の受け台５１を後ブラケットとして配置し、前ブラケット１９と受け台５１としての後ブラケットとでレール部２９，２９を支持している。
【００５１】
（２）  肥料タンク２１と予備苗収納装置３を補給位置に位置変更させる場合に、図１７に示すように、作業位置においては肥料タンク２１が予備苗収納装置３の下方に位置し、補給位置においては予備苗収納装置３は前方に移動するが、肥料タンク２１は前方でかつ横外側方に移動するように構成する。これによって、補給位置では、肥料タンク２１と予備苗収納装置３が上下に重なることがなく、補給作業がやり易い。
【００５２】
（３）  側条施肥ポンプ２３と深層施肥ポンプ３３との駆動構造との別実施構造について説明する。図２０及び図２１に示すように、運転座席４と苗載せ台１３との間に側条施肥ポンプ２３と深層施肥ポンプ３３とを左右に振り分けて配置するとともに、側条施肥ポンプ２３と深層施肥ポンプ３３との間に、側条変速装置５６と深層変速装置５７とを配置する。この場合に変速装置５６，５７だけでなく、駆動モータ等を併設してもよい。
側条施肥ポンプ２３と深層施肥ポンプ３３の下方で運転座席４を支持する左右一対の座席支持部材６０，６０の内部空間に、ペースト肥料を収納するタンク５９を配置してある。
【００５３】
（４）  側条施肥ポンプ２３と深層施肥ポンプ３３との駆動構造との別実施構造について説明する。図１８及び図１９に示すように、運転座席４と苗載せ台１３との間で左右に、ペースト肥料を収納するタンク５９，５９を配置してある。
タンク５９，５９の下方で運転座席４を支持する左右一対の座席支持部材６０，６０の内部空間に、側条施肥ポンプ２３と深層施肥ポンプ３３とを左右に振り分けて配置するとともに、側条施肥ポンプ２３と深層施肥ポンプ３３との間に、側条変速装置５６と深層変速装置５７とを配置する。この場合に変速装置５６，５７だけでなく、駆動モータ等を併設してもよい。
【図面の簡単な説明】
【図１】６条用施肥装置付き乗用型田植機全体の側面図
【図２】図１における予備苗収容装置及び肥料タンクの配設部の左側正面図
【図３】６条用施肥装置付き乗用型田植機全体の平面図
【図４】側条施肥装置及び深層施肥装置の概略平面図
【図５】施肥ポンプ及び施肥変速装置搭載部の平面図
【図６】施肥ポンプ及び施肥変速装置搭載部の正面図
【図７】側条用肥料タンクの側面図
【図８】側条用肥料タンクのタンク支持体を示す平面図
【図９】側条用肥料タンクのタンク支持体を示す背面図
【図１０】予備苗収納装置の移動構造を示す側面図
【図１１】予備苗収納装置の苗棚支柱の後側支柱部分の揺動移動構造を示す側面図
【図１２】８条用田植機に適用した別実施構造を示す平面図
【図１３】８条用田植機における肥料タンクと予備苗収納装置を示す側面図
【図１４】８条用田植機における肥料タンクと予備苗収納装置を示す正面図
【図１５】肥料タンクと予備苗収納装置を一体で移動させる構造を示す側面図
【図１６】肥料タンクと予備苗収納装置を一体で移動させる構造を示す正面図
【図１７】肥料タンクと予備苗収納装置を一体で移動させる構造において、補給位置において肥料タンクが予備苗収納装置よりも外側に位置する状態を示した平面図
【図１８】施肥ポンプと施肥変速装置とを搭載する場合の別実施構造を示す概略正面図
【図１９】図１８における側面図
【図２０】施肥ポンプと施肥変速装置とを搭載する場合の別実施構造を示す概略正面図
【図２１】図２０における側面図
【符号の説明】
３ｂ            予備苗のせ台
１０            苗植付装置
２１，３１      肥料タンク
２２，３２      施肥ノズル
３６            ロック具
３６Ａ          ロック操作部
【図１】
2004298121.tif 000003
【図２】
2004298121.tif 000004
【図３】
2004298121.tif 000005
【図４】
2004298121.tif 000006
【図５】
2004298121.tif 000007
【図６】
2004298121.tif 000008
【図７】
2004298121.tif 000009
【図８】
2004298121.tif 000010
【図９】
2004298121.tif 000011
【図１０】
2004298121.tif 000012
【図１１】
2004298121.tif 000013
【図１２】
2004298121.tif 000014
【図１３】
2004298121.tif 000015
【図１４】
2004298121.tif 000016
【図１５】
2004298121.tif 000017
【図１６】
2004298121.tif 000018
【図１７】
2004298121.tif 000019
【図１８】
2004298121.tif 000020
【図１９】
2004298121.tif 000021
【図２０】
2004298121.tif 000022
【図２１】
2004298121.tif 000023